(57)【要約】      （修正有）【課題】音声バス照明制御デバイスによる照明制御のためのシステム、デバイス及び方法を提供する。【解決手段】方法は、車両におけるソースによって生成された音声バスデータを受信することと、音声バスデータに基づいて、車両の少なくとも１つの照明素子に対する照明制御信号を生成することと、を含む。方法はまた、照明制御信号に基づいて、車両の少なくとも１つの照明素子の動作を制御することを含む。照明制御デバイスは、車両音声バスについての送受信機、コントローラ、及び少なくとも１つの照明ユニットを含む。【選択図】図２
2019102435.tif 000002
【特許請求の範囲】
【請求項１】
音声バス照明制御デバイスによる照明制御のための方法であって、
照明制御デバイスによって、車両におけるソースによって生成された音声バスデータを受信することと、
前記照明制御デバイスのコントローラによって、前記音声バスデータに基づいて、前記車両の少なくとも１つの照明素子に対する照明制御信号を生成することと、
前記照明制御デバイスのスイッチングユニットによって、前記照明制御信号に基づいて、前記車両の前記少なくとも１つの照明素子の動作を制御することと、
を含む、前記方法。
【請求項２】
前記音声バスデータを受信することは、前記音声バスの少なくとも１つの音声チャネル上で時間可変色情報を受信することを含む、請求項１に記載の方法。
【請求項３】
前記音声バスデータを受信することは、前記音声バスの音声信号の少なくとも１つのチャネルを受信することを含む、請求項１に記載の方法。
【請求項４】
前記照明制御信号を生成することは、前記照明パネルへの赤、緑、及び青色出力の各々についてのパルス幅変調出力信号を生成することを含む、請求項１に記載の方法。
【請求項５】
前記照明制御信号を生成することは、前記照明制御信号を復号し、前記照明パネルについての少なくとも１つの色パラメータについての制御情報を出力することを含む、請求項１に記載の方法。
【請求項６】
前記照明制御信号を生成することは、複数のムード環境のうちの１つと関連付けられた予め設定された照明環境を選択することを含み、前記予め設定された照明環境は、ソースタイプ、音声クラス、及び音声サウンドプロファイルのうちの少なくとも１つに応じて選択される、請求項１に記載の方法。
【請求項７】
動作を制御することは、照明パネルについての輝度、色、照射の期間、及び照明素子の変化の割合のうちの少なくとも１つを制御することを含む、請求項１に記載の方法。
【請求項８】
動作を制御することは、少なくとも１つの予め定義されたムード環境と関連して複数の照明パネルを制御することを含む、請求項１に記載の方法。
【請求項９】
前記照明制御デバイスによる車両イベントを検出し、前記車両イベントに応じて、前記照明制御信号に基づいて前記車両の前記少なくとも１つの照明素子の動作を更新することを更に含む、請求項１に記載の方法。
【請求項１０】
前記車両イベントは、入来通信、車両動作状態、車両状態インジケータ、及び音声バスデータのソースにおける変化のうちの少なくとも１つである、請求項９に記載の方法。
【請求項１１】
音声バス照明制御デバイスであって、
入力部と、
出力部と、
前記入力部及び出力部に結合された制御デバイスと、を含み、前記制御デバイスは、
車両におけるソースによって生成された音声バスデータを受信し、
前記音声バスデータに基づいて、前記車両の少なくとも１つの照明素子に対する照明制御信号を生成し、
前記照明制御信号に基づいて、前記車両の前記少なくとも１つの照明素子の動作を制御する、
ように構成されている、前記デバイス。
【請求項１２】
前記音声バスデータを受信することは、前記音声バスの少なくとも１つの音声チャネル上で時間可変色情報を受信することを含む、請求項１１に記載のデバイス。
【請求項１３】
前記音声バスデータを受信することは、前記音声バスの音声信号の少なくとも１つのチャネルを受信することを含む、請求項１１に記載のデバイス。
【請求項１４】
前記照明制御信号を生成することは、前記照明パネルへの赤、緑、及び青色出力の各々についてのパルス幅変調出力信号を生成することを含む、請求項１１に記載のデバイス。
【請求項１５】
前記照明制御信号を生成することは、前記照明制御信号を復号し、前記照明パネルについての少なくとも１つの色パラメータについての制御情報を出力することを含む、請求項１１に記載のデバイス。
【請求項１６】
前記照明制御信号を生成することは、複数のムード環境のうちの１つと関連付けられた予め設定された照明環境を選択することを含み、前記予め設定された照明環境は、ソースタイプ、音声クラス、及び音声サウンドプロファイルのうちの少なくとも１つに応じて選択される、請求項１１に記載のデバイス。
【請求項１７】
動作を制御することは、照明パネルについての輝度、色、照射の期間、及び照明素子の変化の割合のうちの少なくとも１つを制御することを含む、請求項１１に記載のデバイス。
【請求項１８】
動作を制御することは、少なくとも１つの予め定義されたムード環境と関連して複数の照明パネルを制御することを含む、請求項１１に記載のデバイス。
【請求項１９】
前記照明制御デバイスによる車両イベントを検出し、前記車両イベントに応じて、前記照明制御信号に基づいて前記車両の前記少なくとも１つの照明素子の動作を更新することを更に含み、前記車両イベントは、入来通信、車両動作状態、車両状態インジケータ、及び音声バスデータのソースにおける変化のうちの少なくとも１つである、請求項１１に記載のデバイス。
【請求項２０】
少なくとも１つの照明ユニットと、
前記照明ユニットに結合された音声バス照明制御デバイスと、を含み、前記音声バス照明制御デバイスは、
車両におけるソースによって生成された音声バスデータを受信し、
前記音声バスデータに基づいて、前記車両における前記照明ユニットの少なくとも１つの照明素子に対する照明制御信号を生成し、
前記照明制御信号に基づいて、前記車両の前記少なくとも１つの照明ユニットの動作を制御する、
ように構成されている、システム。
【発明の詳細な説明】
【技術分野】
【０００１】
本開示は、照明制御のためのシステム、方法、及びデバイスに関し、特に、車両のための音声バス照明制御デバイス、処理、及びシステムに関する。
【背景技術】
【０００２】
多くのタイプの照明制御が存在する。照明素子のいくつかの態様は、異なる用途にわたって類似しているが、特定の用途についての照明制御が特に調整されることが多い。照明の異なる用途は通常、特定用途のコントローラ及び特定のハードウェアを必要とする。例として、住居用の使用のための照明素子及びコントローラは、車両などの他の用途における照明制御とは非常に異なる。住居用の照明素子は通常、スイッチによってオンまたはオフにされることが多く、照明素子は、住居用の使用のための光を提供するように構成された単一の色素子である。加えて、照明制御のいくつかの用途は、可制御性、電力要件などに対して特定の要件を課す。
【０００３】
従来の車両構成は、車両のインストルメントパネルにおける照明素子、車両駆動ライト、及び同乗者ドームライト及び同乗者のドアについてのセーフティライトを全体的に制御する車両電気システムを含む。それらの照明素子は典型的には、単一の発光色を有する単一の照明ユニットを含む。いくつかの製造者によって光が徐々に薄暗くなり、または明度環境が可能になるが、それらの照明素子及び制御は典型的には、オンまたはオフ状態に制限される。加えて、それらの素子は、車両においてそれら自身の電気バックボーンを必要とする。それらの従来の構成によっては、単一の照射及びオン／オフ動作を超えての照明制御が可能にならない。スイッチまたはドアの開／閉によって活性化されるオーバヘッドまたはリーディングライト素子とは別に、車両における照明素子の照明及び制御についての要望が存在する。車両内で進化した照明制御を提供することができる制御及び照明システムについての必要性及び要望が存在する。
【発明の概要】
【課題を解決するための手段】
【０００４】
本明細書で開示され、特許請求されるのは、車両制御のための方法、デバイス、及びシステムである。１つの実施形態は、音声バス照明制御デバイスによる照明制御のための方法を対象とする。方法は、照明制御デバイスによって、車両におけるソースによって生成された音声バスデータを受信することと、照明制御デバイスのコントローラによって、音声バスデータに基づいて、車両の少なくとも１つの照明素子に対する照明制御信号を生成することと、を含む。方法はまた、照明制御デバイスのスイッチングユニットによって、照明制御信号に基づいて、車両の少なくとも１つの照明素子の動作を制御することを含む。
【０００５】
１つの実施形態では、音声バスデータを受信することは、音声バスの少なくとも１つの音声チャネル上で時間可変色情報を受信することを含む。
【０００６】
１つの実施形態では、音声バスデータを受信することは、音声信号の少なくとも１つのチャネルを受信することを含む。
【０００７】
１つの実施形態では、照明制御信号を生成することは、照明パネルへの赤、緑、及び青色出力の各々についてのパルス幅変調出力信号を生成することを含む。
【０００８】
１つの実施形態では、照明制御信号を生成することは、照明制御信号を復号し、照明パネルについての少なくとも１つの色パラメータについての制御情報を出力することを含む。
【０００９】
１つの実施形態では、照明制御信号を生成することは、複数のムード環境のうちの１つと関連付けられた予め設定された照明環境を選択することを含み、予め設定された照明環境は、ソースタイプ、音声クラス、及び音声サウンドプロファイルのうちの少なくとも１つに応じて選択される。
【００１０】
１つの実施形態では、動作を制御することは、照明パネルについての輝度、色、照射の期間、及び照明素子の変化の割合のうちの少なくとも１つを制御することを含む。
【００１１】
１つの実施形態では、動作を制御することは、少なくとも１つの予め定義されたムード環境と関連して複数の照明パネルを制御することを含む。
【００１２】
１つの実施形態では、方法はまた、照明制御デバイスによる車両イベントを検出し、車両イベントに応じて、照明制御信号に基づいて車両の少なくとも１つの照明素子の動作を更新することを含む。
【００１３】
１つの実施形態では、車両イベントは、入来通信、車両動作状態、車両状態インジケータ、及び音声バスデータのソースにおける変化のうちの少なくとも１つである。
【００１４】
別の実施形態は、入力部、出力部、及び入力部及び出力部に結合されたコントローラを含む音声バス照明制御デバイスを対象とする。コントローラは、車両におけるソースによって生成された音声バスデータを受信し、音声バスデータに基づいて、車両の少なくとも１つの照明素子に対する照明制御信号を生成するように構成される。コントローラはまた、照明制御信号に基づいて、車両の少なくとも１つの照明素子の動作を制御するように構成される。
【００１５】
別の実施形態は、少なくとも１つの照明ユニット、及び照明ユニットに結合された音声バス照明制御デバイスを含むシステムを対象とする。音声バス照明制御デバイスは、車両におけるソースによって生成された音声バスデータを受信し、音声バスデータに基づいて、車両における照明ユニットの少なくとも１つの照明素子に対する照明制御信号を生成するように構成される。音声バス照明制御デバイスはまた、照明制御信号に基づいて、車両の少なくとも１つの照明ユニットの動作を制御するように構成される。
本発明は、例えば、以下を提供する。
（項目１）
音声バス照明制御デバイスによる照明制御のための方法であって、
照明制御デバイスによって、車両におけるソースによって生成された音声バスデータを受信することと、
前記照明制御デバイスのコントローラによって、前記音声バスデータに基づいて、前記車両の少なくとも１つの照明素子に対する照明制御信号を生成することと、
前記照明制御デバイスのスイッチングユニットによって、前記照明制御信号に基づいて、前記車両の前記少なくとも１つの照明素子の動作を制御することと、
を含む、前記方法。
（項目２）
前記音声バスデータを受信することは、前記音声バスの少なくとも１つの音声チャネル上で時間可変色情報を受信することを含む、上記項目に記載の方法。
（項目３）
前記音声バスデータを受信することは、前記音声バスの音声信号の少なくとも１つのチャネルを受信することを含む、上記項目のいずれか一項に記載の方法。
（項目４）
前記照明制御信号を生成することは、前記照明パネルへの赤、緑、及び青色出力の各々についてのパルス幅変調出力信号を生成することを含む、上記項目のいずれか一項に記載の方法。
（項目５）
前記照明制御信号を生成することは、前記照明制御信号を復号し、前記照明パネルについての少なくとも１つの色パラメータについての制御情報を出力することを含む、上記項目のいずれか一項に記載の方法。
（項目６）
前記照明制御信号を生成することは、複数のムード環境のうちの１つと関連付けられた予め設定された照明環境を選択することを含み、前記予め設定された照明環境は、ソースタイプ、音声クラス、及び音声サウンドプロファイルのうちの少なくとも１つに応じて選択される、上記項目のいずれか一項に記載の方法。
（項目７）
動作を制御することは、照明パネルについての輝度、色、照射の期間、及び照明素子の変化の割合のうちの少なくとも１つを制御することを含む、上記項目のいずれか一項に記載の方法。
（項目８）
動作を制御することは、少なくとも１つの予め定義されたムード環境と関連して複数の照明パネルを制御することを含む、上記項目のいずれか一項に記載の方法。
（項目９）
前記照明制御デバイスによる車両イベントを検出し、前記車両イベントに応じて、前記照明制御信号に基づいて前記車両の前記少なくとも１つの照明素子の動作を更新することを更に含む、上記項目のいずれか一項に記載の方法。
（項目１０）
前記車両イベントは、入来通信、車両動作状態、車両状態インジケータ、及び音声バスデータのソースにおける変化のうちの少なくとも１つである、上記項目のいずれか一項に記載の方法。
（項目１１）
音声バス照明制御デバイスであって、
入力部と、
出力部と、
前記入力部及び出力部に結合された制御デバイスと、を含み、前記制御デバイスは、
車両におけるソースによって生成された音声バスデータを受信し、
前記音声バスデータに基づいて、前記車両の少なくとも１つの照明素子に対する照明制御信号を生成し、
前記照明制御信号に基づいて、前記車両の前記少なくとも１つの照明素子の動作を制御する、
ように構成されている、前記デバイス。
（項目１２）
前記音声バスデータを受信することは、前記音声バスの少なくとも１つの音声チャネル上で時間可変色情報を受信することを含む、上記項目のいずれか一項に記載のデバイス。
（項目１３）
前記音声バスデータを受信することは、前記音声バスの音声信号の少なくとも１つのチャネルを受信することを含む、上記項目のいずれか一項に記載のデバイス。
（項目１４）
前記照明制御信号を生成することは、前記照明パネルへの赤、緑、及び青色出力の各々についてのパルス幅変調出力信号を生成することを含む、上記項目のいずれか一項に記載のデバイス。
（項目１５）
前記照明制御信号を生成することは、前記照明制御信号を復号し、前記照明パネルについての少なくとも１つの色パラメータについての制御情報を出力することを含む、上記項目のいずれか一項に記載のデバイス。
（項目１６）
前記照明制御信号を生成することは、複数のムード環境のうちの１つと関連付けられた予め設定された照明環境を選択することを含み、前記予め設定された照明環境は、ソースタイプ、音声クラス、及び音声サウンドプロファイルのうちの少なくとも１つに応じて選択される、上記項目のいずれか一項に記載のデバイス。
（項目１７）
動作を制御することは、照明パネルについての輝度、色、照射の期間、及び照明素子の変化の割合のうちの少なくとも１つを制御することを含む、上記項目のいずれか一項に記載のデバイス。
（項目１８）
動作を制御することは、少なくとも１つの予め定義されたムード環境と関連して複数の照明パネルを制御することを含む、上記項目のいずれか一項に記載のデバイス。
（項目１９）
前記照明制御デバイスによる車両イベントを検出し、前記車両イベントに応じて、前記照明制御信号に基づいて前記車両の前記少なくとも１つの照明素子の動作を更新することを更に含み、前記車両イベントは、入来通信、車両動作状態、車両状態インジケータ、及び音声バスデータのソースにおける変化のうちの少なくとも１つである、上記項目のいずれか一項に記載のデバイス。
（項目２０）
少なくとも１つの照明ユニットと、
前記照明ユニットに結合された音声バス照明制御デバイスと、を含み、前記音声バス照明制御デバイスは、
車両におけるソースによって生成された音声バスデータを受信し、
前記音声バスデータに基づいて、前記車両における前記照明ユニットの少なくとも１つの照明素子に対する照明制御信号を生成し、
前記照明制御信号に基づいて、前記車両の前記少なくとも１つの照明ユニットの動作を制御する、
ように構成されている、システム。
（摘要）
本開示は、音声バス照明制御デバイスによる照明制御のためのシステム、デバイス、及び方法に関連する。１つの実施形態では、方法は、車両におけるソースによって生成された音声バスデータを受信することと、音声バスデータに基づいて、車両の少なくとも１つの照明素子に対する照明制御信号を生成することと、を含む。方法はまた、照明制御信号に基づいて、車両の少なくとも１つの照明素子の動作を制御することを含む。別の実施形態に従って、車両音声バスについての送受信機、コントローラ、及び少なくとも１つの照明ユニットを含む照明制御デバイスが提供される。
【００１６】
他の態様、特徴、及び技術は、以下の実施形態の詳細な説明を考慮して当業者にとって明らかであろう。
【００１７】
本開示の特徴、目的、及び利点は、同様の参照符号が全体を通じてそれらに対応して識別する図面と併用して以下で示される詳細な説明から更に明らかになるであろう。
【図面の簡単な説明】
【００１８】
【図１】１つ以上の実施形態に従った、音声バス照明制御デバイスを含む車両システムのグラフィカル表現を表す。
【図２】１つ以上の実施形態に従った、音声バス照明制御デバイスによる照明制御のための処理を表す。
【図３】１つ以上の実施形態に従った、音声バス照明制御デバイスのグラフィカル表現を表す。
【図４】１つ以上の実施形態に従った、車両構成のグラフィカル表現を表す。
【図５】１つ以上の実施形態に従った、車両構成のグラフィカル表現を表す。
【図６】１つ以上の実施形態に従った、照明制御のための処理を表す。
【図７】１つ以上の実施形態に従った、照明システムの構成を表す。
【発明を実施するための形態】
【００１９】
概要及び用語
本開示の１つの態様は、車両における照明素子を制御することを対象とする。実施形態は、車両の音声バスデータに基づいて、照明素子の照明制御のためのシステム、方法、及びデバイスを対象とする。自動車などの車両は、オーバヘッドドームライト、ドアセーフティライト、リーディングライトなど、音声バスによって制御されない複数の照明ユニットを同乗者室に含むように製造されることができる。それらの同乗者室ユニットは典型的には、スイッチの活性化または車両のドアの開閉によって制御される。本明細書で使用されるように、照明ユニットは、環境、アクセント、及びムード照明効果のうちの１つ以上を提供する１つ以上の照明素子に関連する。本明細書で説明される照明ユニットは、車両の同乗者のセーフティライトまたはリーディングライトと別個に動作してもよい。１つの実施形態に従って、音声バスデータに基づいて照明ユニットの動作を制御する処理が提供される。処理は、車両ダッシュボード、車両コンソール、ドアパネル、ルーフパネル、ドア敷居、中央コンソール、スピーカユニットなどを含むがそれらに限定されない、同乗者室内の環境、ムード、またはアクセント照明の制御を対象としてもよい。ＬＥＤパネルなどの照明ユニットは、複数の照明素子を含んでもよく、照明ユニットの各々の照明素子は、個々に制御されてもよい。照明制御信号は、車両における１つ以上のソースによって生成された音声バスデータを使用して生成されてもよい。
【００２０】
別の実施形態は、音声バスデータを受信し、車両の少なくとも１つの照明ユニットを制御するように構成された照明制御デバイスを対象とする。照明制御デバイスは、照明制御信号を生成するためのコントローラを含んでもよい。１つの実施形態では、音声バスデータは、車両の音声バスの１つ以上のチャネル上の制御信号を含む。音声バスは、１つ以上の車両スピーカ及び１つ以上のインフォテインメント機能についての出力を搬送するように構成されてもよい。１つの実施形態では、音声バスは、音声バスに直接提供することができる、音声処理ユニット（例えば、増幅器）によって供給される照明制御信号を提供してもよい。
【００２１】
１つの実施形態に従って、音声バスの制御信号は、ユーザ環境、予め設定された色環境、及び色モードのうちの１つ以上を示し、音声バスを使用して照明制御ユニットに提供されてもよい。別の実施形態に従って、制御信号は、音声信号である（例えば、音楽、発話、放送プログラミングなど）。照明制御ユニットは、音声信号データを使用して照明制御信号を生成してもよい。照明パネルについての制御環境は、照明制御ユニットによって生成されてもよく、１つ以上の照明ユニットに出力されてもよい。同乗者の経験を強化するために照射パラメータ及び照明素子の色を制御することに加えて、照明制御は、車両イベントをシグナリングするために採用されてもよい。１つの実施形態に従って、照明制御は、上演、コンサート、ホールなど、音楽の増加された環境であるという印象を提供するために、キャビンにおいてライトショー／表示を提供することを対象とする。
【００２２】
本明細書で使用されるように、用語「ａ」または「ａｎ」は、１つまたは１つ以上を意味するものとする。用語「ｐｌｕｒａｌｉｔｙ（複数の）」は、２つまたは２つ以上を意味するものとする。用語「ａｎｏｔｈｅｒ（別の）」は、第２のまたはそれ以上として定義される。用語「ｉｎｃｌｕｄｉｎｇ（含む）」及び／または「ｈａｖｉｎｇ（有する）」は、制約がない（例えば、ｃｏｍｐｒｉｓｉｎｇ（含む））。本明細書で使用される用語「ｏｒ（または）」は、いずれか１つまたはいずれかの組み合わせを含み、またはそれらを意味するとして解釈される。従って、「Ａ，Ｂ  ｏｒ  Ｃ（Ａ、Ｂ、またはＣ）」は、「Ａ；Ｂ；Ｃ；Ａ  ａｎｄ  Ｂ；Ａ  ａｎｄ  Ｃ；Ｂ  ａｎｄ  Ｃ；Ａ，Ｂ  ａｎｄ  Ｃ（Ａ、Ｂ、Ｃ、Ａ及びＢ、Ａ及びＣ、Ｂ及びＣ、Ａ、Ｂ、及びＣ）のうちのいずれか」を意味する。この定義に対する例外は、要素、機能、ステップ、または動作の組み合わせがいくつかの方法で本質的に相互に排他的であるときにだけ発生する。
【００２３】
本書類全体を通じた「ｏｎｅ  ｅｍｂｏｄｉｍｅｎｔ（１つの実施形態）」、「ｃｅｒｔａｉｎ  ｅｍｂｏｄｉｍｅｎｔｓ（特定の実施形態）」、「ａｎ  ｅｍｂｏｄｉｍｅｎｔ（実施形態）」、または同様の用語への言及は、実施形態と関連して説明される特定の特徴、構造、または特性が少なくとも１つの実施形態に含まれることを意味する。よって、本明細書全体を通じた様々な場所でのそのようなフレーズの出現は、必ずしも全てが同一の実施形態を意味しない。更に、特定の特徴、構造、または特性は、限定することなく１つ以上の実施形態に関していずれかの適切な方式で組み合わされてもよい。
【００２４】
例示的な実施形態
ここで、図面を参照して、図１は、１つ以上の実施形態に従った、音声バス照明制御デバイスによる制御のグラフィカル表現を表す。１つの実施形態に従って、図１は、車両１００の構成要素を示す。車両１００は、音声ソース１０５、音声処理ユニット１１０、照明制御ユニット１１５、及び複数の照明ユニット１２０１〜ｎを含む。別の実施形態に従って、照明制御ユニット１１５が照明ユニット１２０１〜ｎのうちの１つ以上を制御することを可能にする処理及び構成が提供される。本明細書で議論されるように、音声処理ユニット１１０及び照明制御ユニット１１５のうちの少なくとも１つは、車両におけるソースによって生成された音声バスデータに基づいて、照明ユニット１２０１〜ｎのうちの１つ以上を制御するように構成されてもよい。別の実施形態に従って、１つ以上の入力または選択は、音声ソース１０５及び音声処理ユニット１１０など、車両１００の構成要素によって検出されてもよい。１つの実施形態では、音声ソース１０５は、照明制御のための音声バスデータを提供する。別の実施形態に従って、音声処理ユニット１１０は、照明ユニット１２０１〜ｎの照明制御のための音声バスデータを提供する。
【００２５】
１つの実施形態に従って、１つ以上の形式の音声バスデータは、照明制御のために使用されてもよい。図１は、ヘッドユニット、または音声処理ユニット１１０にデータ（例えば、音声データ、ユーザ選択など）を出力する他の車両ソースであってもよい、音声ソース１０５を含む１つの実施形態を表す。音声ソース１０５は、ラジオ（例えば、地上波、衛星など）、メディアプレイヤ、及びディスクプレイヤなどの構成要素を含んでもよい。音声ソース１０５は、モバイルデバイスなど、外部デバイスから媒体を受信するために入力部を使用してもよい。特定の実施形態では、音声ソース１０５は、車両インフォテインメントユニットに関連する。他の実施形態では、音声ソース１０５は、車両インフォテインメントユニットの構成要素であってもよい。音声処理ユニット１１０は、音声ソース１０５の出力を受信し、車両スピーカなど、車両の構成要素に対する１つ以上の信号を生成するように構成されてもよい。音声処理ユニット１１０は、複数のスピーカに対する出力レベルを設定し、１つ以上のスピーカ要素に個々の出力を提供するように構成されてもよい。例として、前方左、前方中央、前方右、後方左、後方中央、及び後方左のスピーカを含む車両について、音声処理ユニット１１０は、各々のスピーカユニットに対するボリューム及びイコライザ（例えば、トレブル、バスなど）を設定するように構成されてもよい。別の実施形態に従って、音声処理ユニット１１０は、音声ソース１０５の出力に基づいて、２方向及び３方向スピーカ構成に対する出力を生成するように構成されてもよい。１つの実施形態に従って、音声処理ユニット１１０の出力は、バス１３０として示される音声バスなどの、複数のチャネルを含む１つ以上の接続によって、車両１００の様々なスピーカに提供されてもよい。音声処理ユニット１１０は、１つ以上のチャネルに音声データを出力してもよい。
【００２６】
いくつかの実施形態では、音声ソース１０５及び音声処理ユニット１１０は、単一のユニットであってもよい。図１は単一の音声処理ユニット１１０及び単一の音声ソース１０５を表すが、複数の音声ソース及び音声処理ユニットが音声バスデータを音声バス１３０に供給してもよいことが認識されるべきである。音声バスデータは、複数の車両スピーカに対する音声出力を含む１つ以上のチャネルを提供することができる。１つの実施形態に従って、音声バス１３０に提供される音声信号は、照明ユニット１２０１〜ｎのうちの１つ以上を制御するために、照明制御ユニット１１５によって採用されてもよい。別の実施形態に従って、車両１００の音声ソース１０５は、照明ユニット１２０１〜ｎについての所望の照明環境をシグナリングするために、音声バス１３０に１つ以上の制御信号を出力してもよい。
【００２７】
特定の実施形態では、音声処理ユニット１１０は、音声バス１３０の１つ以上のチャネル上で音声出力を増幅及び方向付けてもよい。本明細書で使用されるように、音声バス１３０のチャネルは、専用ケーブル（例えば、有線接続など）及び符号化チャネル（例えば、ＰＷＭチャネルなど）のうちの少なくとも１つに関連してもよい。音声バス１３０は、複数のチャネルを含んでもよい。
【００２８】
１つの実施形態に従って、音声処理ユニット１１０は、音声バス１３０による照明ユニット１２０１〜ｎの制御のために、車両１００の照明制御ユニット１１５に、制御信号などの音声バスデータを提供するように構成される。よって、音声処理ユニット１１０からの制御信号は、音声バス１３０に出力されてもよく、音声バス１３０によって照明制御ユニット１１５に提供されてもよい。その方式では、音声バス１３０は、スピーカ要素に音声信号を搬送するために使用されてもよく、また、照明制御データが音声バス１３０に提供されることを可能にすることができる。図１における音声処理ユニット１１０及び音声バス１３０の構成の利点は、音声処理ユニット１１０から照明制御ユニット１１５への直接リンクを提供することであってもよく、１つ以上のチャネルを含むことであってもよい。加えて、音声処理ユニット１１０は照明出力を制御し方向付けてもよい。
【００２９】
音声処理ユニット１１０は、１つ以上の形式で制御情報を提供するように構成されてもよい。１つの実施形態では、音声処理ユニット１１０は、照明ユニット１２０１〜ｎに対する少なくとも１つの色パラメータまたは出力環境を出力するための制御情報を提供するように構成される。例として、音声バス１３０に出力されるデータは、音声バス１３０の少なくとも１つのチャネル（例えば、音声チャネル、通信チャネルなど）上の時間可変色情報を含むことができる。１つの実施形態では、音声処理ユニット１１０は、音声バス１３０に、照明制御ユニット１１５によって受信される音声信号の少なくとも１つの音声チャネルを提供する。
【００３０】
１つの実施形態では、音声処理ユニット１１０は、音声バス１３０に、複数のムード環境のうちの１つと関連付けられた予め設定された照明環境を識別する照明制御信号を提供するように構成される。例として、予め設定された環境は、照明ユニット１２０１〜ｎの出力を制御するために照明制御ユニット１１５によって検出され、符号化されていなくてもよい符号化信号として出力されてもよい。照明制御ユニット１１５は、照明ユニット１２０１〜ｎに出力される赤、緑、及び青の各々についてのパルス幅変調出力信号を生成することによって、予め設定された照明環境に応じて照明制御信号を生成してもよい。照明制御信号は、音声バス１３０上の音声信号に加えて、またはそれとは別個に提供されてもよい。別の実施形態に従って、照明制御信号を生成することは、照明制御信号を復号すること、及び照明パネルについての少なくとも１つの色パラメータに対する制御情報を出力することを含む。照明制御信号は、ソースタイプ、音声クラス、及び音声サウンドプロファイルのうちの少なくとも１つに応じて、選択された予め設定された環境に基づいてもよい。例えば、音声処理ユニット１１０に接続されたモバイルデバイスによって生成された音声出力は、音声ソース１０５の無線機機能と関連付けられた音声出力に対して、異なる照明構成または修正された照明構成をもたらすことができる。
【００３１】
別の実施形態に従って、音声処理ユニット１１０は、１つ以上の車両イベントに基づいて照明出力を制御するように構成される。例えば、１つ以上の照明表示または環境は、車両イベントに応じて活性化されてもよい。予め設定された照明構成またはムードの間、車両イベントは、車両イベントの通知を出力するために検出されてもよく、音声処理ユニット１１０が制御信号を出力することをもたらすことができる。音声処理ユニット１１０は、車両の一部または全てにおける現在のムード表示と同一または異なる色の光のフラッシュまたは一連のフラッシュを予め設定することができる。いくつかのケースでは、通知は、車両オペレータに局限されてもよい。音声処理ユニット１１０によって車両イベントを検出すること、及び照明制御信号に基づいて車両の少なくとも１つの照明素子の動作を更新することは、入来通信、車両動作状態、車両状態インジケータ、及び音声バスデータのソースにおける変化のうちの１つ以上などの車両イベントに応じてもよい。
【００３２】
１つの実施形態では、音声処理ユニット１１０は、照明パネルについての輝度、色、照射の期間、及び照明素子の変化の割合のうちの少なくとも１つを制御することによって、照明ユニット１２０１〜ｎの動作を制御する。別の実施形態に従って、照明ユニット１２０１〜ｎの制御は、少なくとも１つの予め定義されたムード環境と関連して複数の照明パネルと関連付けられる。その方式では、いくつかの照明素子は、方向付けられた光の出力を提供し、車両内に「ムード」を作成／補完するように制御されてもよい。
【００３３】
音声処理ユニット１１０は、いくつかの機能を提供するように構成され、その上、従来の照明制御に対して利点をもたらすことができる。例として、音声処理ユニット１１０は、音声バス１３０の複数のチャネルを使用して照明動作を通信及び方向付けるように構成されてもよい。加えて、音声処理ユニット１１０は、車両の異なる部分またはスピーカアセンブリへの信号を制御することができる。音声処理ユニット１１０の出力環境は、インフォテインメントまたはヘッドユニットへの入力によって所望の環境の選択を可能にするプリセットに基づいてもよい。
【００３４】
１つの実施形態に従って、車両１００の照明制御ユニット１１５は、音声バス１３０の少なくとも１つのチャネルを使用して、複数の照明ユニット１２０１〜ｎを制御するように構成される。車両１００の照明ユニット１２０１〜ｎは、概して、ＬＥＤ、ＬＥＤパネル、ＬＥＤストリング、照明ユニットなど、１つ以上の照明素子を含む複数色ＬＥＤユニットに関連してもよい。車両１００は、合理的なコスト、好ましい電力要件、及び可制御性に起因して、ＬＥＤタイプの照明ユニット１２０１〜ｎを採用してもよい。車両１００は、複数のパネルサイズ及びタイプを車両１００に採用することができるように、１つ以上のタイプ及びフォーマットの照明ユニット１２０１〜ｎを採用してもよい。本明細書における照明パネルへの言及は、音声バスを通じて個々に制御することができる複数の照明素子に関連する。本開示の原理が他のタイプの照明ユニットに適用されてもよいことが認識されるべきである。
【００３５】
別の実施形態に従って、音声処理ユニット１１０は、車両内の異なる位置において音声出力を検出及び分類するように構成されてもよい。特定の実施形態では、音声処理ユニット１１０は、照明ユニット１２０１〜ｎの出力を駆動して照明出力を提供するために、音声バス１３０に出力信号を提供するように構成されてもよい。
【００３６】
１つの実施形態に従って、照明制御ユニット１１５は、環境ムード照明を提供するように構成される。１つの実施形態では、照明制御ユニット１１５は、複数の予め設定されたムード環境を記憶するように構成される。各々のムード環境は、車両において関連する色の表示を提供することができる。例として、ムード環境は、車両キャビンにおいて、赤色光などの固定し且つ連続した色を提供する照明ユニット１２０１〜ｎに関連してもよい。代わりに、予め設定されたムード環境は、黄色及び白色光などの光の色の組み合わせを連続して提供するためのものであってもよい。３つ以上の色の表示が提供されてもよい。ムード環境はまた、色または照明素子が活性化される期間、変化の割合、明度などを定義するように設定されてもよい。加えて、ムード環境は、複数の照明ユニット１２０１〜ｎについての色出力パラメータを個々に定義してもよい。１つの実施形態に従って、照明ユニット１２０１〜ｎは、コンサート、ナイトクラブ、レイドバック、コスミックなど、１つ以上の予め設定されたムードを提供するように構成されてもよい。照明ユニット１２０１〜ｎは、制御ユニットまたは音声ソース１０５を使用して選択または修正することができる１つ以上の予め設定されたムード及び色テーマを提供するように構成されてもよい。音声再生の１つの例示的な実施形態では、ナイトクラブのムードは、鮮明な色スキームを利用した光の色、強度、及び分散にける急激な変動と共に照明効果を生じさせるために、照明ユニット１２０１〜ｎを制御することに関連してもよい。代わりに、レイドバックのムードは、軽度な色スキームを利用しながら照明色における緩い変動を生じさせるように構成されてもよい。１つ以上の追加のムードまたは構成は、色の変化の変動率、色、強度、光の分散についてのパラメータを提供して、複数のムードの提示を提供するように制御されてもよい。
【００３７】
１つの実施形態に従って、照明制御ユニット１１５は、音声バス１３０上で受信された音声データに基づいて、ムード環境を決定するように構成されてもよい。非限定的な例として、スピーカに大きく出力されるバスを含む音声データは、音声ソースの律動的出力に基づいてパルス状にされることになる照明素子によるムードをシグナリングしてもよい。代わりに、非音楽音声プログラミングを示す音声出力（例えば、ニュース、放送、音声タイトルなど）は、上記パルス状の出力フォーマットと比較してより遅い割合の変化で１つ以上の色の連続しまたは振動した出力をシグナリングしてもよい。他の実施形態では、情報の１つ以上の非音声ソースは、ムードまたはムード選択を修正するために採用されてもよい。例として、外部温度、明度（例えば、昼間対夜間）、車両速度、天候（例えば、雨、雪、霧など）のうちの１つ以上は、ムード環境を変更または無効にするために使用されてもよい。加えて、１つ以上のユーザコマンドは、照明素子の出力を変更または修正するために検出及び採用されてもよい。
【００３８】
本明細書で説明されるように、照明制御ユニット１１５は、車両のセーフティライトまたはリーディングライトとは別個に同乗者キャビンなどの車室内で照明（例えば、環境、ムードなど）を提供するように照明ユニット１２０１〜ｎを制御するように構成されてもよい。例として、照明ユニット１２０１〜ｎは各々、車両の異なる位置に位置付けられてもよい。加えて、照明ユニット１２０１〜ｎは、異なるタイプのユニットに関連してもよい。例として、車両１００は、それらに限定されないが、同乗者ドア照明、ダッシュボード照明、アクセント照明、天井照明、スピーカ照明、ヘッドレスト照明、コンソール照明、ドア敷居照明、シート及びコンソールの下方照明などのうちの１つ以上についての照明ユニット１２０１〜ｎを含んでもよい。照明ユニット１２０１〜ｎは、車両の複数の位置に配置されてもよい。いくつかの実施形態では、照明ユニット１２０１〜ｎは、スピーカユニットの位置と関連付けられてもよい。他の実施形態では、車両１００は、スピーカ要素を有する照明ユニット１２０１〜ｎ及びスピーカ要素とは分離した照明ユニット１２０１〜ｎを含んでもよい。そのようにして、照明ユニット１２０１〜ｎは、車両内に環境照明のソースを提供することができる。照明制御は、照明素子の色、明度、変化の周期、及び活性化のうちの１つ以上を制御することによって提供されてもよい。ムード照明及び１つ以上の予め設定された構成は、特定の印象及び雰囲気を提供することができる。ムード照明は、音声ソースの出力のタイプを反映するように制御されてもよい。別の実施形態に従って、照明ユニット１２０１〜ｎは、車両の１つ以上の点灯された表示とは別個に、またはそれに加えてインジケーションを提供するように制御されてもよい。例として、照明ユニット１２０１〜ｎは、車両イベントが検出されるときに照射するように制御されてもよい（例えば、発光、フラッシュ、色の変更、明滅など）。本明細書で使用されるように、車両イベントは、車両動作及び／または入来通信と関連付けられた動作条件または警告に関連してもよい。
【００３９】
車両１００についての図１における構成は、１つ以上の実施形態に従った例示的な表現である。特定の実施形態では、車両１００は、各々の照明パネルについての照明制御ユニット１１５を含んでもよい。他の実施形態では、車両１００は、１つ以上の照明パネル上で複数の照明素子を制御するための照明制御ユニットを含んでもよい。また、車両１００は図１に示されない１つ以上の追加の構成要素を含んでもよいことが認識されるべきである。
【００４０】
図２は、１つ以上の実施形態に従った、音声バス照明制御デバイスによる照明制御のための処理を表す。処理２００は、照明制御ユニット（例えば、図１の照明制御ユニット１１５）によって実行されてもよい。１つの実施形態に従って、処理２００は、ブロック２０５において車両におけるソースによって生成された音声バスデータを受信することと、ブロック２１０において照明制御信号を生成することと、ブロック２１５において１つ以上の照明素子を制御することと、を含む。以下で議論されるように、処理２００は、車両における複数の照明素子についての出力構成及び制御の豊富なセットを提供することを可能にする。処理２００は、単に照明ユニットのセットの活性化をもたらすことができるだけではない。音声バスを使用した制御を可能にすることに加え、処理２００は、照明素子の制御のための少なくとも１つの車両特有の条件またはイベントを考慮することができる。
【００４１】
処理２００は、ブロック２０５において車両におけるソースによって生成された音声バスデータを受信することによって開始されてもよい。１つの実施形態では、照明制御ユニット（例えば、照明制御ユニット１１５）は、音声バスデータを受信する。別の実施形態に従って、照明制御ユニットは、音声バスへの１つ以上の物理接続を含む送受信機を含む。１つの実施形態では、音声バスデータを受信することは、音声バスの少なくとも１つの音声チャネル上で時間可変色情報を受信することを含む。例として、色、活性化期間、明度、及び色成分（例えば、赤、緑、及び青）を含む照明ユニットの各々の照明素子についての信号符号化照明パラメータは、音声バスの信号で符号化されてもよい。別の実施形態では、照明制御は、パルス幅の修正を使用して音声バス上でコントローラに送信されてもよい。別の実施形態では、現在の色モードのインジケーションは、照明コントローラに送信される。音声バスデータは、音声バスの１つ以上のチャネル上で音声データを提供することができる。
【００４２】
別の実施形態に従って、音声データは、スピーカに出力されることになる音声信号を含む。照明制御ユニットは、音声バス上でアナログまたは符号化されたデジタルの形式のいずれかで音声信号を受信してもよく、音声信号に基づいて照明制御環境を決定してもよい。例として、テンポ、周波数応答（例えば、重低音、ダイナミックレンジ、より高いピッチなど）のうちの１つ以上は、照明制御信号を生成するために使用されてもよい。
【００４３】
ブロック２１０において、照明制御デバイスは、音声バスデータに基づいて、車両の少なくとも１つの照明素子に対する照明制御信号を生成する。１つの実施形態では、照明制御信号は、照明パネルに出力される赤、緑、及び青の各々についてのパルス幅変調出力信号を含むように生成される。１つの実施形態では、照明制御信号の複数のセットは、コントローラによって生成されてもよく、スイッチング回路に提供されてもよい。スイッチング回路は、複数の照明ユニットに制御信号を分散してもよい。
【００４４】
１つの実施形態では、ブロック２１０における照明制御信号は、音声バス上で照明制御信号を復号するコントローラによって生成される。制御情報は、照明パネルについての少なくとも１つの色パラメータを出力するためのコントローラによって処理されてもよい。特定の実施形態では、照明制御信号を生成することは、複数のムード環境のうちの１つと関連付けられた予め設定された照明環境を選択することを含む。予め設定された照明環境は、ソースタイプ、音声クラス、及び音声サウンドプロファイルのうちの少なくとも１つに応じて選択される。
【００４５】
ブロック２１５において、照明制御デバイスは、照明制御信号に基づいて、車両の少なくとも１つの照明素子の動作を制御する。１つの実施形態では、動作を制御することは、照明パネルについての輝度、色、照射の期間、及び照明素子の変化の割合のうちの少なくとも１つを制御することを含む。別の実施形態に従って、動作を制御することは、少なくとも１つの予め定義されたムード環境と関連して複数の照明パネルの動作を制御することを含む。制御は、色、明るさ、照射などのうちの１つ以上に関連する。
【００４６】
１つの実施形態に従って、処理２００は、任意選択で、ブロック２２０において１つ以上のユーザ環境を検出してもよい。１つの実施形態では、ユーザ環境は、ムード環境、色、色セット、及び音声ソースのユーザインタフェースによる予め設定された制御のうちの１つ以上の選択を含んでもよい。ブロック２１０において、ユーザ環境に基づいて、１回以上、照明制御信号が生成されてもよい。
【００４７】
別の実施形態に従って、車両イベントは、任意選択で、ブロック２２５において検出されてもよい。イベントを検出することによって、車両の少なくとも１つの照明素子の動作が更新されてもよい。車両イベントは、入来通信、車両シャットダウン、車両状態インジケータ、及び音声バスデータのソースにおける変化のうちの１つ以上に関連してもよい。
【００４８】
図３は、１つ以上の実施形態に従った、音声バス照明制御デバイスのグラフィカル表現を表す。デバイス３０５は、照明制御デバイス（例えば、図１の照明制御ユニット１１５）として採用されてもよい。１つの実施形態に従って、デバイス３０５は、図２の処理２００及び図６の処理６００など、本明細書で説明される１つ以上の処理及び機能を実行するように構成されてもよい。
【００４９】
例示的な実施形態では、デバイス３０５は、車両とインタフェースし、照明パネル３１０など、車両の照明素子を制御するための１つ以上の要素を含む。１つの実施形態に従って、デバイス３０５は、車両電圧供給部３０１及び接地３０２に対して構成された電圧調整回路３２０を含む。電圧調整回路３２０は、デバイス３０５及びデバイス３０５の構成要素に供給電圧を提供するように構成される。
【００５０】
１つの実施形態に従って、デバイス３０５は、車両音声バス（例えば、音声バス１３０）に結合するように構成された送受信機３２５を含む。送受信機３２５は、車両音声バスへの入力端子３１５及び出力端子３１６とインタフェースするように構成される。１つの実施形態に従って、送受信機３２５は、音声バス送受信機であり、車両における１つ以上のソースによって生成された音声バスデータを受信することができる。別の実施形態に従って、送受信機３２５は、出力端子３１６を介して車両の音声バスに１つ以上の信号を送信するように構成されてもよい。送受信機３２５は、入力端子３１５及び出力端子３１６によって、車両音声バス（例えば、音声バス１３０）の複数のチャネルを通じて音声データを送信及び受信するように構成される。１つの実施形態に従って、送受信機３２５は、図１の音声処理ユニット１１０などの音声処理ユニットからコントローラ３３０にオン及び／またはオフ要求、照明プリセット、及び診断要求を通信するために、制御データを受信及び送信するように構成される。送受信機３２５は、コントローラ３３０から図１の音声処理ユニット１１０などの１つ以上の車両構成要素に活性状態及び診断情報を通信してもよい。
【００５１】
１つの実施形態に従って、デバイス３０５は、デバイス３０５の動作を制御し、デバイス３０５の１つ以上の機能を指示するためのコントローラ３３０を含んでもよい。コントローラ３３０は、双方向リンク３４５によって、送受信機３２５から音声バスデータを受信するように構成される。送受信機３２５によって受信される音声バスデータは、１つ以上の照明制御信号を含んでもよい。そのようにして、音声処理ユニット（例えば、音声処理ユニット１１０）は、コントローラ３３０に制御信号を直接提供することができる。特定の実施形態では、コントローラ３３０は、音声バスデータを使用して照明制御信号を生成する。コントローラ３３０は、入力端子３１５上で受信された音声バスの１つ以上のチャネルから埋め込みデータを検出するように構成されたデジタルシグナルプロセッサ（ＤＳＰ）であってもよい。１つの実施形態に従って、コントローラ３３０は、スイッチング回路３３５に照明制御信号３５０１〜ｎを出力するように構成される。照明制御信号３５０１〜ｎは、赤、青、及び緑色空間についてのデータを含むパルス幅変調制御信号に関連する。１つの実施形態に従って、照明制御信号３５０１〜ｎは、色データの少なくとも１つのセットを含み、色データの９チャネルなどの色データの複数のセット（例えば、赤、緑、及び青色の３つのセットについて）を含んでもよい。別の実施形態に従って、照明制御信号３５０１〜ｎは、周囲サウンド再生及び１つ以上の周囲サウンドフォーマットなどの周囲サウンド状態に基づいて構成されてもよい。
【００５２】
１つの実施形態に従って、照明制御信号３５０１〜ｎは、照明パネル３１０などの１つ以上の照明パネルを直接駆動するために、符号化されていない形式で送信することができるパルス幅変調データを提供する。他の実施形態では、照明制御信号３５０１〜ｎは、エンドカスタマに基づく符号化フォーマット（すなわち、車両製造者フォーマット）及び／または使用される照明パネルの復号能力で出力されてもよい。
【００５３】
スイッチング回路３３５は、コントローラ３３０によって生成された照明制御信号３５０１〜ｎを受信し、照明パネル３１０への照明スイッチング信号３６０１〜ｎを生成するように構成される。１つの実施形態に従って、照明パネル３１０は、１つ以上の照明素子を表す。照明パネル３１０の照明素子の明度、色、活性化、及び出力のうちの１つ以上は、照明スイッチング信号３６０１〜ｎによって制御されてもよい。１つの実施形態に従って、照明スイッチング信号３６０１〜ｎは、予め設定されたムード環境と関連付けられた１つ以上の照明構成を出力するように照明パネルを指示してもよい。別の実施形態に従って、照明スイッチング信号３６０１〜ｎは、コンサート、ナイトクラブ、レイドバック、及びコスミックモードのうちの１つ以上についてのライトショーを提供することを含むがそれらに限定されない、１つ以上のモードと関連付けられてもよい。１つの実施形態では、照明制御信号３５０１〜ｎは、コントローラ３３０によって、照明パネル３１０などの１つ以上の照明パネルを駆動するように構成された電圧レベルを有するスイッチング回路３３５に出力されてもよい。照明制御信号３５０１〜ｎのコントローラの出力から引き出される最大電流は、照明パネルの引き出される公称電流よりも低くてもよい。１つの実施形態では、スイッチング回路３３５の出力、照明スイッチング信号３６０１〜ｎは、コントローラの出力（照明制御信号３５０１〜ｎ）に基づいて適切な電圧の間で切り替わり、照明パネル３１０の電流要件を扱うと予期されてもよい。
【００５４】
１つの実施形態に従って、デバイス３０５は、照明パネル３１０を含むがそれに限定されない、１つ以上の照明パネルとインタフェースするように構成された送受信機３４０を含む。送受信機３４０は、コントローラ３３０から照明制御データを受信するように構成される。１つの実施形態に従って、送受信機３４０は、デバイス３０５が複数の照明パネルとインタフェースすることを可能にするように照明コントローラバス（例えば、データ出力）についての送受信機として動作するように構成されてもよい。１つの実施形態では、送受信機３４０は、制御プロトコル（例えば、ＤＭＸなど）に従う照明制御信号を出力するように構成されてもよい。そのようにして、送受信機３４０は、音声バスに加えて、または音声バスとは別個に、デイジーチェーン構成で複数のリンクされた照明素子を駆動するように構成されてもよい。図７において以下で議論されるように、１つ以上の照明制御ユニット及び／または照明パネルは、デイジーチェーンまたは接続構成においてリンクされてもよい。
【００５５】
図４は、１つ以上の実施形態に従った、車両構成のグラフィカル表現を表す。１つの実施形態に従って、車両４００は、ドライバ側照明ユニット４０５〜４０６、同乗者側照明ユニット４０７〜４０８、前方照明ユニット４１０、及び背面照明ユニット４１５などの複数の照明ユニットを含む。図４に示されるように、各々の照明ユニットは、照明素子４１１などの複数の照明素子（例えば、ＬＥＤ、光源など）を含む。別の実施形態に従って、照明制御ユニット（例えば、図１の照明制御ユニット１１５、図３のデバイス３０５など）は、車両４００の照明ユニットの各々の照明素子を個々に制御するように構成されてもよい。照明ユニット４０５〜４０６、４０７〜４０８、４１０、及び４１５は、スピーカグリルまたは車両４００のキャビン内の他の位置に取り付けられてもよい。
【００５６】
別の実施形態に従って、車両４００の照明ユニットの動作は、車両の領域と関連付けられた音声バスデータに基づいてもよい。例として、音声バスデータは、車両４００の小区画のみにサウンド出力を方向付けてもよい（例えば、前方または後方へのフェード機能）。そのようにして、照明制御は、後方のスピーカにサウンドを方向付けるために、車両環境に基づいて車両の後方における照明ユニットを活性化するなど、照明ユニットのうちのいくつかのみへの照明を制御することを含んでもよい。代わりにまたは組み合わせで、照明素子の色及び光出力は、異なってもよく、または音声バスデータに基づいて音声等化環境を反映してもよい。例として、バスを調節するための車両ヘッドユニットへのリアルタイムな環境に基づいて、車両４００の照明制御ユニットは、音声等化への変更をシグナリングするために、１つ以上の照明素子の色環境及び出力を変更してもよい。そのようにして、照明制御は、ユーザに応じている。
【００５７】
１つの実施形態に従って、照明素子のうちの１つ以上は、車両イベントを示すために制御されてもよい。車両におけるモバイルデバイスへの電話通信などの入来通信について、１つ以上の照明素子が制御されてもよい。１つの実施形態では、入来電話通信などの車両イベントは、前方照明ユニット４１０の活性化をもたらすことができる。そのようにして、前方照明ユニット４１０は、特定の同乗者と関連付けられた同乗者キャビンの領域において入来通信をシグナリングするために、パルス状になり、他の照明ユニットとは異なる色を提供し、または光表示を提供するように活性化されてもよい。
【００５８】
別の実施形態に従って、車両４００の照明素子は、非音声及び非スピーカイベント、及び車両状態を反映するように音声バスによって制御されてもよい。１つの例示的な実施形態では、音声バスは、車両環境に基づいて色を出力するように照明素子を指示するために、１つ以上のチャネル上で制御信号を提供してもよい。例として、ドライバ側照明ユニット４０５は、ドライバのための車両加熱及び冷却環境をシグナリングするために第１の色（例えば、青色光）を放射するように構成されてもよい。同様に、同乗者側照明ユニット４０７は、ドライバのための車両加熱及び冷却環境をシグナリングするために第２の色（例えば、赤色光）を放射するように構成されてもよい。照明素子の色は、温度環境をシグナリングするように制御されてもよい。加えて、第３の色は、後方の気候制御環境を示すために、同乗者側照明ユニット４０７〜４０８、及び背面照明ユニット４１５のうちの１つ以上によって出力されてもよい。他の車両環境は、近接した車両をシグナリングするために、照明ユニット４０７〜４０８の車両の片側上での色変化または照射など、音声バスを使用して音声（例えば、サウンド）出力に基づいていない照明素子によってシグナリングされてもよい。車両イベントは、ブラインドスポット検出、パーキングインジケータなど、車両オペレータへの警告を提供するために生成された音声キューと関連付けられてもよい。
【００５９】
図５は、１つ以上の実施形態に従った、車両構成のグラフィカル表現を表す。１つの実施形態に従って、車両５００は、複数の照明ユニット５０５１〜ｎ及びディスプレイユニット５１０を有する同乗者インタフェースを含む。１つの実施形態に従って、照明ユニット５０５１〜ｎは個々に制御されてもよい。照明ユニット５０５１〜ｎの色、活性化、輝度、及び出力タイプ（フラッシュ、色波など）のうちの少なくとも１つは、１つ以上の車両イベントに応じて制御されてもよい。１つの例示的な実施形態に従って、複数の照明ユニット５０５１〜ｎは、グループ化されてもよく、車両コンソールなどの車両位置に位置してもよい。
【００６０】
別の実施形態に従って、１つ以上の照明素子は、スピーカ５１５及び５２０などの車両スピーカと関連付けられてもよい。図５は、照明ユニット５０５１を有するスピーカ５１５、及び照明ユニット５０５ｎを有するスピーカ５２０を示す。１つの実施形態に従って、照明ユニット５０５１〜ｎは、スピーカ５１５及び５２０とインタフェースする照明制御ユニットを含んでもよい。ディスプレイ５１０は、車両５００のヘッドユニットまたは音声ソースの表示に関連してもよい。１つの実施形態に従って、照明ユニット５０５１〜ｎは、ディスプレイ５１０に対する背面照明及び／またはムード照明を提供することができる。
【００６１】
１つの実施形態に従って、車両５００の１つ以上の照明ユニットは、車両イベントと関連付けられた照明構成を出力するように構成されてもよい。例示的な実施形態では、車両５００の照明ユニット５０５１〜ｎのうちの１つ以上は、エンブレムを照射するように構成されてもよい。例えば、車両がオンにされるとき、スピーカグリルに取り付けられた製造者のロゴは、照明ユニット５０５１及びスピーカ５２０などの照明素子によって照射されてもよい。この例における照明ユニット５０５１の色及び実質的なフェードは、ブランド／マーケット戦略に基づいて選択されてもよい。別の例示的な実施形態に従って、照明ユニット５０５２など、車両５２０の照明ユニットは、カップホルダなど、車両保管要素と関連して配置されてもよい。車両保管区画の１つ以上のセンサは、照明ユニット、この例では照明ユニット５０５１が、温度を示す色、例えば、冷たいを示す青、及び熱いを示す赤で照射することができるように温度を報告してもよい（例えば、カップホルダ内の温度）。
【００６２】
図６は、１つ以上の実施形態に従った、照明制御のための処理を表す。処理６００は、車両イベントの検出、及び検出されたイベントに応じた照明制御信号の更新を可能にするために採用されてもよい。処理６００は、ブロック６０５において、車両の１つ以上の照明ユニットなど、照明素子の制御によって開始されてもよい。本明細書で議論されるように、制御は、活性化、予め設定された出力表示を実行すること、及び非活性化を含むことができるがそれに限定されない。処理６００は、決定ブロック６１０においてイベント検出を決定することを含んでもよい。イベントが検出されないとき（例えば、決定ブロック６１０から「ＮＯ」ブロック）、処理６００は、ブロック６０５において照明素子を制御することを継続する。処理６００は、ブロック６１５においてイベントが検出されるとき（例えば、決定ブロック６１０から「ＹＥＳ」ブロック）、照明制御信号を更新するように構成されてもよい。１つの実施形態に従って、処理６００は、ブロック６１０において検出された状態に応じて、ドライバが車両に入ると照明素子の「ようこそ」表示を出力し、車両がオフ状態に制御されるときに照明素子の「さようなら」表示を出力することなど、ブロック６０５において「ようこそ」及び「さようなら」シーケンスを生成してもよい。
【００６３】
１つの実施形態では、ブロック６１０において検出されたイベントは、ヘッドユニットによって示される音声ソースの変化に関連することができる。別の実施形態では、ブロック６１０において検出されたイベントは、モードまたはムード（例えば、コスミック、ナイトクラブなど）を選択するためのエンドユーザによる照明コードの変更に関連する。イベントは、音声トラックの変化（例えば、トラックの停止、トラックの検索など）に関連してもよい。更なる別の実施形態では、ブロック６１０において検出されたイベントは、ヘッドユニット、増幅器、スピーカ、及び車両ユニットのうちの１つ以上についてのセットアップ、誤り検出、障害、または動作の間の状態インジケータなど、マルチメディアシステム診断状態に関連することができる。別の実施形態に従って、ブロック６１０において検出されたイベントは、入来電話呼、メッセージ通知（例えば、テキストメッセージ、電子メールなど）などの通信に関連することができる。
【００６４】
１つの実施形態では、ブロック６１０において検出されたイベントは、エンジンのオンまたはオフ、アクセサリモードのオンまたはオフなど、車両駆動ユニットの状態に関連することができる。別の実施形態に従って、ブロック６１０におけるイベントは、重大な車両の警告の車両検出（駐車アシスタンス、レーンキープアシスタンスなど）に関連することができる。別の実施形態に従って、ブロック６１０におけるイベントは、キャビン温度またはキャビン温度環境に関連することができる。
【００６５】
別の実施形態に従って、ブロック６１０において検出されたイベントは、照明制御ユニット診断要求、照明制御ソフトウェア再フラッシュ要求、及び／または照明パネル障害の検出に関連することができる。環境照明状態（例えば、昼間対夜間）はまた、ブロック６１０において検出されたイベントに関連してもよい。
【００６６】
図７は、１つ以上の実施形態に従った、照明システム構成を表す。図７は、音声ソース７０５、音声処理ユニット７１０、照明情報処理ユニット７１５、及び照明制御ユニット７２０１〜ｎなど、車両７００の構成要素を示す。音声ソース７０５及び音声処理ユニット７１０は、図１の音声ソース１０５及び音声処理ユニット１１０と同様に動作してもよい。そのようにして、音声ソース７０５は、音声データを提供する音声バス７２５によって音声処理ユニット７１０に結合されてもよい。照明情報処理ユニット７１５は、音声バスによって音声処理ユニット７１０に結合され、音声バス７３０は、１つ以上の照明パネルについての制御データに関連することができる、音声データ及び照明データを含む。
【００６７】
別の実施形態に従って、本明細書で説明される処理及び構成は、ユニット７１５の照明制御が、音声ソース１０５などの車両におけるソースによって生成された音声バスデータまたは音声処理ユニット７１０の出力に基づいて、照明制御ユニット７２０１〜ｎ及び照明パネル７５０及び７５５などの照明パネルのうちの１つ以上を制御することを可能にする。１つの実施形態に従って、照明情報処理ユニット７１５は、音声バス送受信機（例えば、送受信機３２５）を含み、照明制御ユニット７２０１〜ｎに、照明データ７３５及び７４０として示されるアドレス特有照明スキームを出力するように構成される。別の実施形態に従って、照明制御ユニット７２０１〜ｎは各々、照明パネル７５０及び７５５などの１つ以上の照明パネルを駆動するように構成されてもよい。照明情報処理ユニット７１５によってパルス幅変調出力を出力する代わりに、照明パネルを駆動するためのパルス幅変調出力は、照明制御ユニット７２０１〜ｎの各々によって出力されてもよい。１つの実施形態に従って、照明制御ユニット７２０１〜ｎは、音声バス送受信機を含まないが、照明パネルを駆動するように構成される。照明制御ユニット７２０１〜ｎについての照明データ７３５及び７４０は、照明情報処理ユニット７１５によって生成及び／または送信されてもよい。１つの実施形態に従って、照明制御ユニット７２０１〜ｎは、照明データ７３５が照明制御ユニット７２０１に提供され、照明制御ユニット７２０１が次いで照明制御ユニット７２０ｎに照明データ７４０を提供することができるように、デイジーチェーン構成で配置される。照明データは、ＤＭＸプロトコルなど、１つ以上のプロトコルに基づくことができる照明情報処理ユニット７１５によって指定された１つ以上のアドレス指定スキームに基づいて、照明制御ユニット７２０１〜ｎ及び照明パネル７５０及び７５５に提供されてもよい。
【００６８】
本開示がそれらの例示的な実施形態を参照して特に示され、説明されてきたが、特許請求される実施形態の範囲から逸脱することなく形式上及び詳細の様々な変更がそれらに行われてもよいことが当業者によって理解されよう。
【図１】
2019102435.tif 000003
【図２】
2019102435.tif 000004
【図３】
2019102435.tif 000005
【図４】
2019102435.tif 000006
【図５】
2019102435.tif 000007
【図６】
2019102435.tif 000008
【図７】
2019102435.tif 000009